(57)【要約】【課題】テレビジョン受信装置において、適正な地域情報に基いていないチャンネル登録を、適正な地域情報に基いたチャンネル登録となるように改善する。【解決手段】テレビジョン受信装置１は、外部機器２が接続されると、チャンネル登録設定において採用した地域情報を外部機器２に送信する。続いて、テレビジョン受信装置１は、外部機器２から通知される整合性判断情報（外部機器２がＧＰＳ機能で取得する位置情報とテレビジョン受信装置１から送信した地域情報とが整合しているか否かを示す情報）を取得し、その整合性判断情報に基いて、チャンネル登録設定が適正な地域情報に基いて行われたものであるか否かを判断する。そして、テレビジョン受信装置１は、チャンネル登録設定が適正な地域情報に基いて行われたものでないと判断した場合に、通知画面４０を表示して、チャンネル登録設定を行うことを促す情報をユーザに通知する。【選択図】図４
2013157935.tif 000002
【特許請求の範囲】
【請求項１】
外部機器を接続して使用することができ、テレビジョン放送局から放送されるテレビジョン信号を受信するテレビジョン受信装置において、
本装置により前記テレビジョン信号を受信する地域を示す地域情報を記憶する地域情報記憶手段と、
前記外部機器から情報を取得する外部情報取得手段と、
前記外部情報取得手段により前記外部機器から取得した情報に基いて、前記地域情報記憶手段に記憶されている地域情報が適切であるか否かを判断する地域情報判断手段と、を備える、ことを特徴とするテレビジョン受信装置。
【請求項２】
前記地域情報記憶手段に記憶されている地域情報を前記外部機器に送信する地域情報送信手段をさらに備え、
前記外部情報取得手段は、前記外部機器から取得する情報として、前記外部機器が取得する位置情報と前記地域情報送信手段により送信した地域情報とが整合しているか否かを示す整合性判断情報を取得する整合性判断情報取得手段を有し、
前記地域情報判断手段は、前記整合性判断情報取得手段により前記外部機器から取得した整合性判断情報に基いて、前記地域情報記憶手段に記憶されている地域情報が適切であるか否かを判断する、ことを特徴とする請求項１に記載のテレビジョン受信装置。
【請求項３】
前記外部情報取得手段は、前記外部機器から取得する情報として、前記外部機器が取得した位置情報を取得する位置情報取得手段を有し、
前記位置情報取得手段により前記外部機器から取得した位置情報と前記地域情報記憶手段に記憶されている地域情報とが整合しているか否かを判断する整合性判断手段をさらに備え、
前記地域情報判断手段は、前記整合性判断手段による判断結果に基いて、前記地域情報記憶手段に記憶されている地域情報が適切であるか否かを判断する、ことを特徴とする請求項１に記載のテレビジョン受信装置。
【請求項４】
前記地域情報判断手段により前記地域情報記憶手段に記憶されている地域情報が適切でないと判断した場合に、地域情報記憶手段に記憶されている地域情報が適切でない旨の情報をユーザに通知する地域情報通知手段をさらに備える、ことを特徴とする請求項１乃至請求項３のいずれか一項に記載のテレビジョン受信装置。
【請求項５】
前記外部情報取得手段は、前記外部機器から取得する情報として、前記外部機器が取得する位置情報を取得する位置情報取得手段をさらに有し、
前記地域情報判断手段により前記地域情報記憶手段に記憶されている地域情報が適切でないと判断した場合に、前記位置情報取得手段により前記外部機器から取得した位置情報に基いて、前記地域情報記憶手段に記憶されている地域情報を更新する地域情報更新手段をさらに備える、ことを特徴とする請求項１又は請求項２に記載のテレビジョン受信装置。
【請求項６】
前記地域情報判断手段により前記地域情報記憶手段に記憶されている地域情報が適切でないと判断した場合に、前記位置情報取得手段により前記外部機器から取得した位置情報に基いて、前記地域情報記憶手段に記憶されている地域情報を更新する地域情報更新手段をさらに備える、ことを特徴とする請求項３に記載のテレビジョン受信装置。
【請求項７】
前記外部情報取得手段は、本装置に前記外部機器が接続されたときに、前記外部機器から情報を取得し、
前記地域情報判断手段は、前記外部情報取得手段により前記外部機器から情報を取得したときに、前記外部情報取得手段により前記外部機器から取得した情報に基いて、前記地域情報記憶手段に記憶されている地域情報が適切であるか否かを判断する、ことを特徴とする請求項１乃至請求項６のいずれか一項に記載のテレビジョン受信装置。
【請求項８】
前記外部機器が取得する位置情報は、ＧＰＳ機能で取得した位置情報である、ことを特徴とする請求項１乃至請求項７のいずれか一項に記載のテレビジョン受信装置。
【請求項９】
本装置により前記テレビジョン信号を受信する地域を示す地域情報を設定する地域情報設定手段と、
前記地域情報設定手段により設定された地域情報に基いて、受信可能なチャンネルを登録するチャンネル登録設定を行うチャンネル登録設定手段と、をさらに備え、
前記地域情報設定手段は、前記チャンネル登録設定手段により前記チャンネル登録設定を行うときに、本装置により前記テレビジョン信号を受信する地域を示す地域情報を設定し、
前記地域情報記憶手段は、前記地域情報設定手段により設定された地域情報であって、前記チャンネル登録設定手段により前記チャンネル登録設定を行ったときに採用した地域情報を記憶する、ことを特徴とする請求項１乃至請求項８のいずれか一項に記載のテレビジョン受信装置。
【請求項１０】
前記外部情報取得手段により前記外部機器から取得した情報に基いて、前記チャンネル登録設定が適正な地域情報に基いて行われたものであるか否かを判断するチャンネル登録判断手段をさらに備える、ことを特徴とする請求項９に記載のテレビジョン受信装置。
【請求項１１】
前記チャンネル登録判断手段により前記チャンネル登録設定が適正な地域情報に基いて行われたものでないと判断した場合に、前記チャンネル登録設定を行うことを促す情報をユーザに通知するチャンネル登録通知手段をさらに備える、ことを特徴とする請求項１０に記載のテレビジョン受信装置。
【請求項１２】
前記地域情報設定手段は、前記チャンネル登録判断手段により前記チャンネル登録設定が適正な地域情報に基いて行われたものでないと判断した場合に、本装置により前記テレビジョン信号を受信する地域を示す地域情報を新しく設定し、
前記チャンネル登録設定手段は、前記チャンネル登録判断手段により前記チャンネル登録設定が適正な地域情報に基いて行われたものでないと判断した場合に、前記地域情報設定手段により新しく設定した地域情報に基いて、前記チャンネル登録設定を行う、ことを特徴とする請求項１０に記載のテレビジョン受信装置。
【請求項１３】
請求項１乃至請求項１２のいずれか一項に記載のテレビジョン受信装置に接続される外部機器。
【請求項１４】
請求項１乃至請求項１２のいずれか一項に記載のテレビジョン受信装置と、該テレビジョン受信装置に接続される外部機器と、により構成されるテレビジョン受信システム。
【発明の詳細な説明】
【技術分野】
【０００１】
本発明は、テレビジョン放送局から放送されるテレビジョン信号を受信するテレビジョン受信装置、テレビジョン受信装置に接続される外部機器、及びテレビジョン受信システムに関するものである。
【背景技術】
【０００２】
従来から、テレビジョン受信装置において、受信可能なテレビジョン信号のチャンネル（放送周波数）を登録するチャンネル登録設定を行うものがある。チャンネル登録設定は、ユーザによりチャンネル登録設定を行うための所定の操作がなされることにより行われる。テレビジョン信号のチャンネルやチャンネル番号は、地域によって異なっているため、チャンネル登録設定は、テレビジョン受信装置によりテレビジョン信号を受信する地域を示す地域情報（テレビジョン受信装置の設置地域を示す情報）に基いて行われる。すなわち、チャンネル登録設定は、地域情報の設定と共に行われ、その設定した地域情報に基いて、その地域で受信可能なテレビジョン信号のチャンネルを登録することにより行われる。地域情報の設定は、ユーザにより入力された地域情報に基いて行われる。
【０００３】
また、テレビジョン受信装置において、位置情報受信回路及び携帯電話受信用アンテナを設け、位置情報受信回路が携帯電話用アンテナを介して携帯電話位置情報サービスに回線を接続して、位置情報受信回路が携帯電話用アンテナを介して位置情報を受信し、この位置情報に基いてチャンネル設定を行うようにしたものが知られている（例えば特許文献１参照）。
【０００４】
一方、スマートフォンなどの携帯端末をテレビジョン受信装置に接続するためのＭＨＬケーブルやＨＤＭＩケーブルが開発されている。そして、スマートフォンなどの携帯端末をＭＨＬケーブルやＨＤＭＩケーブルを介してテレビジョン受信装置に接続することにより、携帯端末から供給される信号による映像（携帯端末で表示される映像と同じ映像）をテレビジョン受信装置に表示したり、テレビジョン受信装置から携帯端末に電力を送電したりできるものも開発されている。
【先行技術文献】
【特許文献】
【０００５】
【特許文献１】特開２００８−１２４７１８号公報
【発明の概要】
【発明が解決しようとする課題】
【０００６】
ところで、上述した従来のテレビジョン受信装置において、例えば、地域情報の設定の間違い（地域情報の入力の間違い）や、引越しをしたときにチャンネル登録設定を行っていないなどの原因により、チャンネル登録設定が適正な地域情報に基いて行われていない場合がある。チャンネル登録設定が適正な地域情報に基いて行われていない場合には、その地域で放送されているテレビジョン信号のチャンネルが適正に登録されておらず、その地域で放送されているテレビジョン信号を適正に受信することができない。
【０００７】
本発明は、上記課題を解決するためになされたものであり、適正な地域情報に基いていないチャンネル登録を、適正な地域情報に基いたチャンネル登録となるように改善することができるテレビジョン受信装置、テレビジョン受信装置に接続される外部機器、及びテレビジョン受信システムを提供することを目的とする。
【課題を解決するための手段】
【０００８】
上記目的を達成するために請求項１の発明は、外部機器を接続して使用することができ、テレビジョン放送局から放送されるテレビジョン信号を受信するテレビジョン受信装置において、本装置によりテレビジョン信号を受信する地域を示す地域情報を記憶する地域情報記憶手段と、外部機器から情報を取得する外部情報取得手段と、外部情報取得手段により外部機器から取得した情報に基いて、地域情報記憶手段に記憶されている地域情報が適切であるか否かを判断する地域情報判断手段と、を備えるものである。
【０００９】
請求項２の発明は、請求項１に記載のテレビジョン受信装置において、地域情報記憶手段に記憶されている地域情報を外部機器に送信する地域情報送信手段をさらに備え、外部情報取得手段は、外部機器から取得する情報として、外部機器が取得する位置情報と地域情報送信手段により送信した地域情報とが整合しているか否かを示す整合性判断情報を取得する整合性判断情報取得手段を有し、地域情報判断手段は、整合性判断情報取得手段により外部機器から取得した整合性判断情報に基いて、地域情報記憶手段に記憶されている地域情報が適切であるか否かを判断するものである。
【００１０】
請求項３の発明は、請求項１に記載のテレビジョン受信装置において、外部情報取得手段は、外部機器から取得する情報として、外部機器が取得した位置情報を取得する位置情報取得手段を有し、位置情報取得手段により外部機器から取得した位置情報と地域情報記憶手段に記憶されている地域情報とが整合しているか否かを判断する整合性判断手段をさらに備え、地域情報判断手段は、整合性判断手段による判断結果に基いて、地域情報記憶手段に記憶されている地域情報が適切であるか否かを判断するものである。
【００１１】
請求項４の発明は、請求項１乃至請求項３のいずれか一項に記載のテレビジョン受信装置において、地域情報判断手段により地域情報記憶手段に記憶されている地域情報が適切でないと判断した場合に、地域情報記憶手段に記憶されている地域情報が適切でない旨の情報をユーザに通知する地域情報通知手段をさらに備えるものである。
【００１２】
請求項５の発明は、請求項１又は請求項２に記載のテレビジョン受信装置において、外部情報取得手段は、外部機器から取得する情報として、外部機器が取得する位置情報を取得する位置情報取得手段をさらに有し、地域情報判断手段により地域情報記憶手段に記憶されている地域情報が適切でないと判断した場合に、位置情報取得手段により外部機器から取得した位置情報に基いて、地域情報記憶手段に記憶されている地域情報を更新する地域情報更新手段をさらに備えるものである。
【００１３】
請求項６の発明は、請求項３に記載のテレビジョン受信装置において、地域情報判断手段により地域情報記憶手段に記憶されている地域情報が適切でないと判断した場合に、位置情報取得手段により外部機器から取得した位置情報に基いて、地域情報記憶手段に記憶されている地域情報を更新する地域情報更新手段をさらに備えるものである。
【００１４】
請求項７の発明は、請求項１乃至請求項６のいずれか一項に記載のテレビジョン受信装置において、外部情報取得手段は、本装置に外部機器が接続されたときに、外部機器から情報を取得し、地域情報判断手段は、外部情報取得手段により外部機器から情報を取得したときに、外部情報取得手段により外部機器から取得した情報に基いて、地域情報記憶手段に記憶されている地域情報が適切であるか否かを判断するものである。
【００１５】
請求項８の発明は、請求項１乃至請求項７のいずれか一項に記載のテレビジョン受信装置において、外部機器が取得する位置情報は、ＧＰＳ機能で取得した位置情報であるものである。
【００１６】
請求項９の発明は、請求項１乃至請求項８のいずれか一項に記載のテレビジョン受信装置において、本装置によりテレビジョン信号を受信する地域を示す地域情報を設定する地域情報設定手段と、地域情報設定手段により設定された地域情報に基いて、受信可能なチャンネルを登録するチャンネル登録設定を行うチャンネル登録設定手段と、をさらに備え、地域情報設定手段は、チャンネル登録設定手段によりチャンネル登録設定を行うときに、本装置によりテレビジョン信号を受信する地域を示す地域情報を設定し、地域情報記憶手段は、地域情報設定手段により設定された地域情報であって、チャンネル登録設定手段によりチャンネル登録設定を行ったときに採用した地域情報を記憶するものである。
【００１７】
請求項１０の発明は、請求項９に記載のテレビジョン受信装置において、外部情報取得手段により外部機器から取得した情報に基いて、チャンネル登録設定が適正な地域情報に基いて行われたものであるか否かを判断するチャンネル登録判断手段をさらに備えるものである。
【００１８】
請求項１１の発明は、請求項１０に記載のテレビジョン受信装置において、チャンネル登録判断手段によりチャンネル登録設定が適正な地域情報に基いて行われたものでないと判断した場合に、チャンネル登録設定を行うことを促す情報をユーザに通知するチャンネル登録通知手段をさらに備えるものである。
【００１９】
請求項１２の発明は、請求項１０に記載のテレビジョン受信装置において、地域情報設定手段は、チャンネル登録判断手段によりチャンネル登録設定が適正な地域情報に基いて行われたものでないと判断した場合に、本装置によりテレビジョン信号を受信する地域を示す地域情報を新しく設定し、チャンネル登録設定手段は、チャンネル登録判断手段によりチャンネル登録設定が適正な地域情報に基いて行われたものでないと判断した場合に、地域情報設定手段により新しく設定した地域情報に基いて、チャンネル登録設定を行うものである。
【００２０】
請求項１３の発明は、請求項１乃至請求項１２のいずれか一項に記載のテレビジョン受信装置に接続される外部機器である。
【００２１】
請求項１４の発明は、請求項１乃至請求項１２のいずれか一項に記載のテレビジョン受信装置と、該テレビジョン受信装置に接続される外部機器と、により構成されるテレビジョン受信システムである。
【発明の効果】
【００２２】
請求項１乃至請求項８の発明によれば、地域情報判断手段により、外部機器から取得した情報に基いて、地域情報記憶手段に記憶されている地域情報が適切であるか否かが判断される。従って、地域情報判断手段により地域情報記憶手段に記憶されている地域情報が適切でないと判断された場合に、地域情報が適切でない旨の情報をユーザに通知することにより、又は、新しい地域情報を地域情報記憶手段に記憶（地域情報記憶手段に記憶されている地域情報を更新）することにより、適切でない地域情報を、適切な地域情報に改善することができる。そして、チャンネル登録設定（地域情報に基いて、受信可能なチャンネルを登録する動作）を行うチャンネル登録設定手段を備え、地域情報記憶手段がチャンネル登録設定を行ったときに採用した地域情報を記憶する構成においては、地域情報判断手段により地域情報記憶手段に記憶されている地域情報が適切でないと判断された場合に、チャンネル登録設定を行うことを促す情報をユーザに通知することにより、又は、新しい地域情報に基いてチャンネル登録設定を行うことにより、適切な地域情報に基いていないチャンネル登録を、適切な地域情報に基いたチャンネル登録となるように改善することができる。これにより、ユーザの視聴機会の低下を阻止することができる。
【００２３】
請求項９の発明によれば、地域情報判断手段により地域情報記憶手段に記憶されている地域情報が適切でないと判断された場合に、チャンネル登録設定を行うことを促す情報をユーザに通知することにより、又は、新しい地域情報に基いてチャンネル登録設定を行うことにより、適切な地域情報に基いていないチャンネル登録を、適切な地域情報に基いたチャンネル登録となるように改善することができる。
【００２４】
請求項１０の発明によれば、チャンネル登録判断手段により、外部機器から取得した情報に基いて、チャンネル登録設定が適正な地域情報に基いて行われたものであるか否かが判断される。従って、チャンネル登録判断手段によりチャンネル登録設定が適正な地域情報に基いて行われたものでないと判断された場合に、チャンネル登録設定を行うことを促す情報をユーザに通知することにより、又は、新しい地域情報に基いてチャンネル登録設定を行うことにより、適正な地域情報に基いていないチャンネル登録を、適正な地域情報に基いたチャンネル登録となるように改善することができる。これにより、ユーザの視聴機会の低下を阻止することができる。
【００２５】
請求項１１の発明によれば、チャンネル登録判断手段によりチャンネル登録設定が適正な地域情報に基いて行われたものでないと判断された場合に、登録表示手段によりチャンネル登録設定を行うことを促す情報がユーザに通知される。ここで、ユーザが、チャンネル登録設定を行う操作をすることにより、新しい地域情報に基いてチャンネル登録設定が行われる。これにより、適正な地域情報に基いていないチャンネル登録を、適正な地域情報に基いたチャンネル登録となるように改善することができる。
【００２６】
請求項１２の発明によれば、チャンネル登録判断手段によりチャンネル登録設定が適正な位置情報に基いて行われたものでないと判断された場合に、チャンネル登録設定手段により新しい地域情報に基いてチャンネル登録設定が行われる。これにより、適正な地域情報に基いていないチャンネル登録を、適正な地域情報に基いたチャンネル登録となるように改善することができる。
【図面の簡単な説明】
【００２７】
【図１】本発明の第１の実施形態に係るテレビジョン受信システムの概略構成を示す平面図。
【図２】同テレビジョン受信システムのテレビジョン受信装置の電気的ブロック構成図。
【図３】同テレビジョン受信装置の外部機器接続時動作を示すフローチャート。
【図４】同テレビジョン受信装置の通知画面の表示例を示す図。
【図５】本発明の第２の実施形態に係るテレビジョン受信システムのテレビジョン受信装置の外部機器接続時動作を示すフローチャート。
【発明を実施するための形態】
【００２８】
以下、本発明を具体化した実施形態によるテレビジョン受信装置、テレビジョン受信装置に接続される外部機器、及びテレビジョン受信システムについて図面を参照して説明する。
＜第１の実施形態＞
まず、第１の実施形態によるテレビジョン受信装置、テレビジョン受信装置に接続される外部機器、及びテレビジョン受信システムについて説明する。図１は、第１の実施形態によるテレビジョン受信システムの構成を示す。テレビジョン受信システム１００は、テレビジョン受信装置１と外部機器２とにより構成されている。テレビジョン受信装置１は、テレビジョン放送局から放送されるテレビジョン信号を受信して、テレビジョン信号による映像を表示すると共に、テレビジョン信号による音声を出力する装置である。
【００２９】
このテレビジョン受信装置１は、外部機器２を接続して使用することができるようになっている。外部機器２は、例えばスマートフォンなどの携帯端末であり、例えばＭＨＬケーブルやＨＤＭＩケーブルなどの接続ケーブル３を介して、テレビジョン受信装置１に接続される。
【００３０】
すなわち、このテレビジョン受信装置１は、外部機器２を接続することにより、外部機器２から供給される信号による映像（外部機器２で表示される映像と同じ映像）を表示することができるようになっている。また、このテレビジョン受信装置１は、外部機器２を接続することにより、テレビジョン受信装置１から外部機器２に電力を送電することができるようになっている。
【００３１】
また、このテレビジョン受信装置１は、外部機器２を接続したときに、外部機器２から情報を取得して、外部機器２から取得した情報に基いて、チャンネル登録設定が適正な地域情報（テレビジョン受信装置１によりテレビジョン信号を受信する地域（テレビジョン受信装置１の設置地域）を示す情報）に基いて行われたものであるか否かを判断するようになっている。チャンネル登録設定とは、地域情報に基いて、受信可能なチャンネルを登録する動作である。そして、このテレビジョン受信装置１は、チャンネル登録設定が適正な地域情報に基いて行われたものでないと判断した場合に、チャンネル登録設定を行うことを促す情報を表示するようになっている。
【００３２】
テレビジョン受信装置１は、テレビジョン信号による映像を含む各種映像を表示するディスプレイ１１と、テレビジョン信号による音声を含む各種音声を出力するスピーカ１２と、ユーザがテレビジョン受信装置１の動作を指示するために操作するリモコン１３と、リモコン１３から送信されるリモコン操作信号を受信するリモコン受信部１４とを備える。
【００３３】
図２は、テレビジョン受信装置１の電気的ブロック構成を示す。テレビジョン受信装置１は、上述の構成に加え、チューナ１５と、外部機器接続部１６と、入力切換部１７と、映像音声処理部１８と、メモリ１９と、テレビジョン受信装置１の動作を制御する制御部２０とを備える。
【００３４】
ディスプレイ１１は、制御部２０による制御のもと、映像信号が入力されることにより、その映像信号による映像を表示する。スピーカ１２は、制御部２０による制御のもと、音声信号が入力されることにより、その音声信号による音声を出力する。リモコン１３は、上述のように、ユーザにより各種リモコン操作キーが操作されることにより、その操作内容（ユーザによるリモコン１３の操作内容）に対応するリモコン操作信号を赤外線によって送信する。リモコン受信部１４は、リモコン１３から赤外線によって送信されるリモコン操作信号を受信すると、受信したリモコン操作信号に対応する（すなわち、ユーザによるリモコン１３の操作内容に対応する）リモコン受信信号を出力する。
【００３５】
チューナ１５は、制御部２０による制御のもと、制御部２０の指定するチャンネル（放送周波数）のテレビジョン信号をアンテナ１ａを介して受信する。そして、チューナ１５は、制御部２０による制御のもと、受信したテレビジョン信号を復調、復号処理して、受信したテレビジョン信号による映像信号及び音声信号を生成すると共に、チャンネル番号やチャンネル名を示すチャンネル情報等の各種情報を抽出する。
【００３６】
外部機器接続部１６は、接続ケーブル３を介して外部機器２に電力を送電する。また、外部機器接続部１６は、制御部２０による制御のもと、接続ケーブル３を介して外部機器２に各種情報を送信する。また、外部機器接続部１６は、外部機器２から送信される映像信号、音声信号、及び各種情報を接続ケーブル３を介して受信する。
【００３７】
入力切換部１７は、制御部２０による制御のもと、映像信号及び音声信号のディスプレイ１１及びスピーカ１２への入力経路を切換える。すなわち、入力切換部１７は、制御部２０による制御のもと、チューナ１５により生成された映像信号及び音声信号を映像音声処理部１８に出力する状態と、外部機器接続部１６により受信した映像信号及び音声信号を映像音声処理部１８に出力する状態と、に選択的に切換える。
【００３８】
映像音声処理部１８は、制御部２０による制御のもと、入力切換部１７から入力された映像信号に対して、画質を調整するための処理や各種映像をＯＳＤ表示するためのＯＳＤ加工処理を含む各種の映像信号処理を行い、その処理後の映像信号を出力する。また、映像音声処理部１８は、制御部２０による制御のもと、入力切換部１７から入力された音声信号に対して、音質を調整するための処理や音量を調整するための処理を含む各種の音声信号処理を行い、その処理後の音声信号を出力する。
【００３９】
映像音声処理部１８から出力された映像信号は、ディスプレイ１１に入力され、映像音声処理部１８から出力された音声信号は、スピーカ１２に入力される。これにより、その映像信号による映像がディスプレイ１１に表示されると共に、その音声信号による音声がスピーカ１２から出力される。
【００４０】
メモリ１９は、制御部２０による制御のもと、テレビジョン受信装置１によりテレビジョン信号を受信する地域（テレビジョン受信装置１の設置地域）を示す地域情報を記憶する。また、メモリ１９は、制御部２０による制御のもと、チャンネルマップを記憶する。チャンネルマップは、受信可能なテレビジョン信号のチャンネル、及び受信可能なテレビジョン信号のチャンネルとチャンネル番号との対応関係を記述したマップである。また、メモリ１９は、制御部２０による制御のもと、テレビジョン受信装置１の動作に関わる各種データを記憶する。メモリ１９によって、地域情報記憶手段が構成されている。
【００４１】
制御部２０は、テレビジョン受信装置１の動作を制御するためのプログラムや各種データを記憶しており、それらプログラムや各種データに基いて、テレビジョン受信装置１の各種動作を制御する。制御部２０は、リモコン受信部１４から入力されるリモコン受信信号に基いて、リモコン１３の操作内容を判断し、リモコン１３の操作を受けて、テレビジョン受信装置１の各種動作を制御する。
【００４２】
制御部２０は、外部機器２に各種情報を送信する。すなわち、制御部２０は、各種情報を外部機器接続部１６を介して外部機器２に送信することにより、外部機器２に各種情報を送信する。また、制御部２０は、外部機器２から各種情報を取得する。すなわち、制御部２０は、外部機器２から送信される各種情報を外部機器接続部１６を介して受信することにより、外部機器２から各種情報を取得する。制御部２０によって、外部情報取得手段が構成されている。
【００４３】
また、制御部２０は、テレビジョン受信装置１によりテレビジョン信号を受信する地域（テレビジョン受信装置１の設置地域）を示す地域情報を設定する。制御部２０は、後述のチャンネル登録設定を行うときに、チャンネル登録設定に先立って、地域情報を設定する。制御部２０は、ユーザによる所定の操作により入力された地域情報、又は、外部機器２から取得した位置情報に基いて、地域情報を設定する。また、制御部２０は、設定した地域情報をメモリ１９に記憶する。制御部２０によって、地域情報設定手段が構成されている。
【００４４】
また、制御部２０は、チャンネル登録設定を行う。チャンネル登録設定は、地域情報に基いて、受信可能なテレビジョン信号のチャンネルを登録する動作である。制御部２０は、チャンネル登録設定を行うための所定の操作がなされると、前述の地域情報の設定と共に（地域情報を設定した後に）、チャンネル登録設定を実行する。チャンネル登録設定では、制御部２０は、チャンネル登録設定に先立って設定した地域情報（メモリ１９に記憶している地域情報）に基いて、受信可能なテレビジョン信号のチャンネルを登録する。つまり、制御部２０は、設定した地域情報に基いて、その地域情報の示す地域で受信可能なテレビジョン信号のチャンネルをメモリ１９に記憶しているチャンネルマップに登録する。メモリ１９は、設定された地域情報であって、チャンネル登録設定を行ったときに採用した地域情報を記憶していることになる。制御部２０によって、チャンネル登録設定手段が構成されている。
【００４５】
また、制御部２０は、テレビジョン信号の受信を行う。すなわち、制御部２０は、テレビジョン信号を受信することを指令すると共に受信するチャンネルを指定する制御信号をチューナ１５に与える。これにより、チューナ１５において、指定されたチャンネルのテレビジョン信号が受信される。
【００４６】
また、制御部２０は、テレビ映像の表示を行う。すなわち、制御部２０は、チューナ１５により生成された映像信号及び音声信号を入力することを指令する制御信号を入力切換部１７に与える。これにより、入力切換部１７において、映像信号及び音声信号の入力経路が、チューナ１５により生成された映像信号及び音声信号を入力する経路に切換えられ、チューナ１５により生成された映像信号及び音声信号が映像音声処理部１８を経由してディスプレイ１１及びスピーカ１２に入力される。これにより、受信中のテレビジョン信号による映像がディスプレイ１１に表示されると共に、受信中のテレビジョン信号による音声がスピーカ１２から出力される。
【００４７】
また、制御部２０は、外部映像の表示を行う。すなわち、制御部２０は、外部機器接続部１６により受信した映像信号及び音声信号を入力することを指令する制御信号を入力切換部１７に与える。これにより、入力切換部１７において、映像信号及び音声信号の入力経路が、外部機器接続部１６により受信した映像信号及び音声信号を入力する経路に切換えられ、外部機器接続部１６により受信した映像信号及び音声信号が映像音声処理部１８を経由してディスプレイ１１及びスピーカ１２に入力される。これにより、外部機器２から供給される映像信号による映像がディスプレイ１１に表示されると共に、外部機器２から供給される音声信号による音声がスピーカ１２から出力される。
【００４８】
また、制御部２０は、各種映像のＯＳＤ表示を行う。すなわち、制御部２０は、ＯＳＤ表示することを指令する制御信号と共にＯＳＤ表示する各種映像の映像信号を映像音声処理部１８に与える。これにより、映像音声処理部１８において、入力切換部１７から出力された（ディスプレイ１１に入力される）映像信号に対して、制御部２０から与えられた映像信号による各種映像をＯＳＤ表示するための加工処理が行われ、各種映像がディスプレイ１１にＯＳＤ表示される。
【００４９】
また、制御部２０は、メニュー、ユーザに対するメッセージや操作案内等の各種映像の表示を行う。制御部２０は、これらの映像の表示をＯＳＤ表示によって行う。制御部２０は、リモコン１３の操作に基いて、これらテレビジョン受信装置１の各種動作を実行する。
【００５０】
また、制御部２０は、外部機器接続時動作を行う。外部機器接続時動作は、テレビジョン受信装置１に外部機器２が接続されたときに行う動作である。すなわち、制御部２０は、外部機器２が接続されたときに外部機器接続時動作を行う。
【００５１】
図３は、テレビジョン受信装置１の外部機器接続時動作のフローチャートを示す。制御部２０は、テレビジョン受信装置１に外部機器２が接続されると（＃１でＹＥＳ）、メモリ１９に記憶されている地域情報（すなわち、設定されている地域情報であって、チャンネル登録設定において採用した地域情報）を外部機器２に送信する（＃２）。制御部２０によって、地域情報送信手段が構成されている。
【００５２】
外部機器２は、テレビジョン受信装置１から地域情報が送信されると、外部機器２のＧＰＳ機能により位置情報（外部機器２の存在する位置を示す情報）を取得し、外部機器２がＧＰＳ機能で取得した位置情報とテレビジョン受信装置１から送信された地域情報とが整合しているか否かを判断する。ここで、外部機器２は、ＧＰＳ機能で取得した位置情報の示す位置がテレビジョン受信装置１から送信された地域情報の示す地域の範囲内であれば、外部機器２がＧＰＳ機能で取得した位置情報とテレビジョン受信装置１から送信された地域情報とが整合していると判断し、そうでなければ、外部機器２がＧＰＳ機能で取得した位置情報とテレビジョン受信装置１から送信された地域情報とが整合していないと判断する。そして、外部機器２は、外部機器２がＧＰＳ機能で取得した位置情報とテレビジョン受信装置１から送信された地域情報とが整合しているか否かを示す整合性判断情報をテレビジョン受信装置１に通知する。
【００５３】
＃２の後、制御部２０は、外部機器２から情報を取得すると、すなわち、＃２での地域情報の送信に基いて外部機器２から通知される整合性判断情報を受信して取得すると（＃３でＹＥＳ）、その外部機器２から取得した情報に基いて、設定されている地域情報が適切であるか否か（メモリ１９に記憶されている地域情報が適切であるか否か）を判断し、チャンネル登録設定が適正な地域情報に基いて行われたものであるか否かを判断する（＃４）。すなわち、制御部２０は、外部機器２から取得した整合性判断情報が、外部機器２がＧＰＳ機能で取得した位置情報とテレビジョン受信装置１から送信された地域情報とが整合していることを示す情報であれば、設定されている地域情報が適切であると判断し、チャンネル登録設定が適正な地域情報に基いて行われたものであると判断する。一方、制御部２０は、外部機器２から取得した整合性判断情報が、外部機器２がＧＰＳ機能で取得した位置情報とテレビジョン受信装置１から送信された地域情報とが整合していないことを示す情報であれば、設定されている地域情報が適切でないと判断し、チャンネル登録設定が適正な地域情報に基いて行われたものでないと判断する。制御部２０によって、整合性判断情報取得手段、地域情報判断手段、及びチャンネル登録判断手段が構成されている。
【００５４】
そして、制御部２０は、チャンネル登録設定が適正な地域情報に基いて行われたものでないと判断した場合には（＃５でＮＯ）、図４に示すような通知画面４０を表示する（＃６）。このとき、制御部２０は、通知画面４０をＯＳＤ表示によってディスプレイ１１に表示する。通知画面４０は、設定されている地域情報が適切でない旨の情報である「設定されている地域情報に違いがあります。」のメッセージ４１、及びチャンネル登録設定を行うことを促す情報である「再度ＣＨ登録を行いますか？」のメッセージ４２を含んでいる。制御部２０は、通知画面４０を表示することにより、設定されている地域情報が適切でない旨の情報（メモリ１９に記憶されている地域情報が適切でない旨の情報）、及びチャンネル登録設定を行うことを促す情報をユーザに通知する。また、通知画面４０は、チャンネル登録設定を行うか否かを選択させるための画面でもあり、「再度ＣＨ登録を行いますか？」のメッセージ４２に対する返答を選択させるための「はい」の項目４３、「いいえ」の項目４４、及びカーソル４５を含んでいる。制御部２０によって、地域情報通知手段、及びチャンネル登録通知手段が構成されている。
【００５５】
ユーザは、この通知画面４０（チャンネル登録設定を行うことを促す情報）を見て、チャンネル登録設定を行うか否かを決定する。そして、ユーザは、リモコン１３により、チャンネル登録設定を行う操作（通知画面４０において、カーソル４５により「はい」の項目４３を選択して決定する操作）をするか、又は、チャンネル登録設定を行わない操作（通知画面４０において、カーソル４５により「いいえ」の項目４４を選択して決定する操作）をする。
【００５６】
ここで、制御部２０は、チャンネル登録設定を行う操作（通知画面４０の「はい」の項目４３を選択して決定する操作）がなされると（＃７でＹＥＳ）、通知画面４０の表示を終了し（＃８）、チャンネル登録設定を実行する（＃９）。このとき、制御部２０は、外部機器２がＧＰＳ機能で取得した位置情報に基いて、チャンネル登録設定を実行する。すなわち、制御部２０は、外部機器２がＧＰＳ機能で取得した位置情報を外部機器２から取得して、その位置情報に基いて、地域情報を新しく設定し、メモリ１９に記憶されている地域情報を更新（新しく設定した地域情報をメモリ１９に記憶）する。そして、制御部２０は、その新しく設定した地域情報に基いて、チャンネル登録設定を実行する。つまり、制御部２０は、その新しく設定した地域情報の示す地域で受信可能なテレビジョン信号のチャンネルをメモリ１９に記憶しているチャンネルマップに登録する。そして、チャンネル登録設定を実行した後、外部機器接続時動作を終了する。制御部２０によって、位置情報取得手段、及び地域情報更新手段が構成されている。
【００５７】
一方、制御部２０は、チャンネル登録設定を行わない操作（通知画面４０の「いいえ」の項目４４を選択して決定する操作）がなされると（＃７でＮＯ）、通知画面４０の表示を終了し（＃１０）、チャンネル登録設定を実行せずに、外部機器接続時動作を終了する。
【００５８】
また、制御部２０は、＃５においてチャンネル登録設定が適正な位置情報に基いて行われたものであると判断した場合には（＃５でＹＥＳ）、通知画面４０を表示せずに（＃６〜＃１０の処理を行わずに）、外部機器接続時動作を終了する。
【００５９】
本実施形態によれば、テレビジョン受信装置１に外部機器２が接続されたときに、外部機器２から取得した情報に基いて、設定されている地域情報が適切であるか否かが判断され、チャンネル登録設定が適正な地域情報に基いて行われたものであるか否かが判断される。そして、設定されている地域情報が適切でないと判断され、チャンネル登録設定が適正な地域情報に基いて行われたものでないと判断された場合に、通知画面４０が表示されて、設定されている地域情報が適切でない旨の情報、及びチャンネル登録設定を行うことを促す情報がユーザに通知される。ここで、ユーザが、チャンネル登録設定を行う操作をすることにより、自動的に地域情報が新しく設定され、新しく設定された地域情報に基いてチャンネル登録設定が行われる。これにより、適切でない地域情報を、適切な地域情報に改善することができ、適正な地域情報に基いていないチャンネル登録を、適正な地域情報に基いたチャンネル登録となるように改善することができる。すなわち、地域情報の設定の間違い（地域情報の入力の間違い）があった場合や、引越しをしたときにチャンネル登録設定を行っていなかった場合でも、チャンネル登録の内容をテレビジョン受信装置１の設置地域（テレビジョン受信装置１によりテレビジョン信号を受信する地域）に合ったものにすることができる。これにより、ユーザの視聴機会の低下を阻止することができる。
【００６０】
＜第２の実施形態＞
次に、第２の実施形態によるテレビジョン受信装置、テレビジョン受信装置に接続される外部機器、及びテレビジョン受信システムについて説明する。図５は、第２の実施形態のテレビジョン受信装置１の外部機器接続時動作のフローチャートを示す。本実施形態では、テレビジョン受信装置１の外部機器接続時動作が上記第１の実施形態と異なっている。本実施形態における他の構成、他の動作については、上記第１の実施形態と同様である。
【００６１】
本実施形態では、制御部２０は、第１の実施形態における＃６〜＃１０の処理に代えて、＃１１の処理を行う。
【００６２】
すなわち、本実施形態では、制御部２０は、まず、上記第１の実施形態と同様に、＃１〜＃５の処理を行う。
【００６３】
そして、制御部２０は、＃５においてチャンネル登録設定が適正な地域情報に基いて行われたものでないと判断した場合には（＃５でＮＯ）、チャンネル登録設定を実行する（＃１１）。すなわち、制御部２０は、ユーザによる操作を受けずに、自動的に、チャンネル登録設定を実行する。このとき、制御部２０は、外部機器２がＧＰＳ機能で取得した位置情報に基いて、チャンネル登録設定を実行する。すなわち、制御部２０は、外部機器２がＧＰＳ機能で取得した位置情報を外部機器２から取得して、その位置情報に基いて、テレビジョン受信装置１によりテレビジョン信号を受信する地域を示す地域情報を新しく設定し、メモリ１９に記憶されている地域情報を更新する。そして、制御部２０は、その新しく設定した地域情報に基いて、チャンネル登録設定を実行する。そして、チャンネル登録設定を実行した後、外部機器接続時動作を終了する。制御部２０によって、位置情報取得手段、及び地域情報更新手段が構成されている。
【００６４】
一方、制御部２０は、＃５においてチャンネル登録設定が適正な地域情報に基いて行われたものであると判断した場合には（＃５でＹＥＳ）、チャンネル登録設定を実行せずに、外部機器接続時動作を終了する。
【００６５】
本実施形態によれば、上記第１の実施形態と同様に、テレビジョン受信装置１に外部機器２が接続されたときに、外部機器２から取得した情報に基いて、設定されている地域情報が適切であるか否かが判断され、チャンネル登録設定が適正な地域情報に基いて行われたものであるか否かが判断される。そして、本実施形態によれば、設定されている地域情報が適切でないと判断され、チャンネル登録設定が適正な地域情報に基いて行われたものでないと判断された場合に、自動的に、地域情報が新しく設定されると共に、新しく設定された地域情報に基いてチャンネル登録設定が行われる。これにより、適正な地域情報に基いていないチャンネル登録を、適正な地域情報に基いたチャンネル登録となるように改善することができる。
【００６６】
なお、本発明は、上記各実施形態の構成に限られず、種々の変形が可能である。例えば、制御部は、外部機器から取得する情報として、外部機器がＧＰＳ機能で取得した位置情報を取得し、外部機器がＧＰＳ機能で取得した位置情報とメモリに記憶されている地域情報とが整合しているか否かを判断し、この判断結果に基いて、メモリに記憶されている地域情報が適切であるか否かを判断し、チャンネル登録設定が適正な地域情報に基いて行われたものであるか否かを判断するようにしてもよい。制御部によって、位置情報取得手段、整合性判断手段が構成されている。また、外部機器が接続されたときに限られず、外部機器が接続されている状態において、任意のタイミングで外部機器から情報を取得して、その取得した情報に基いて、メモリに記憶されている地域情報が適切であるか否かを判断し、チャンネル登録設定が適正な地域情報に基いて行われたものであるか否かを判断するようにしてもよい。また、外部機器は、携帯端末以外であってもよい。また、接続ケーブルは、ＭＨＬケーブルやＨＤＭＩケーブル以外のケーブルでもよい。
【符号の説明】
【００６７】
１    テレビジョン受信装置
２    外部機器
３    接続ケーブル
１１    ディスプレイ
１２    スピーカ
１３    リモコン
１４    リモコン受信部
１５    チューナ
１６    外部機器接続部
１７    入力切換部
１８    映像音声処理部
１９    メモリ（地域情報記憶手段）
２０    制御部（外部情報取得手段、地域情報判断手段、地域情報送信手段、整合性判断情報取得手段、位置情報取得手段、整合性判断手段、地域情報通知手段、地域情報更新手段、地域情報設定手段、チャンネル登録設定手段、チャンネル登録判断手段、チャンネル登録通知手段）
１００    テレビジョン受信システム
【図１】
2013157935.tif 000003
【図２】
2013157935.tif 000004
【図３】
2013157935.tif 000005
【図４】
2013157935.tif 000006
【図５】
2013157935.tif 000007